(57)【要約】【課題】  表示装置の不均一な劣化を防止する。【解決手段】  複数の発光素子を含んで構成されるピクセルが多数配列される表示部と、前記表示部の発光素子の点灯状態を制御して、当該ピクセル毎の色を変化させて背景および文字を表示する駆動部と、発光素子毎の色情報の組み合わせを文字色と背景色についてそれぞれ対応させたパターンを複数記憶するテーブルを記憶する記憶部と、前記表示部にて文字を表示しているとき、所定時間毎に前記パターンを変更して前記駆動部にて表示を行わせるパターン変更処理を行う制御部とを備える。【選択図】    図１
2007034075.tif 000002
【特許請求の範囲】
【請求項１】
複数の発光素子を含んで構成されるピクセルが多数配列される表示部と、
前記表示部の発光素子の点灯状態を制御して、当該ピクセル毎の色を変化させて背景および文字を表示する駆動部と、
発光素子毎の色情報の組み合わせを文字色と背景色についてそれぞれ対応させたパターンを複数記憶するテーブルを記憶する記憶部と、
前記表示部にて文字を表示しているとき、所定時間毎に前記パターンを変更して前記駆動部にて表示を行わせるパターン変更処理を行う制御部と、
を備えたことを特徴とする表示装置。
【請求項２】
操作部をさらに備え、
前記制御部は、前記操作部による機能選択を要求されると、前記表示部に少なくとも所定の文字列を含む機能選択画面を表示させるように前記駆動部を制御し、当該機能選択画面の表示中に前記パターン制御処理を行うことを特徴とする請求項１に記載の表示装置。
【請求項３】
通信網に接続可能な通信部と、操作部とをさらに備え、
前記制御部は、前記操作部により前記通信部による通信を要求されると、前記表示部に少なくとも所定の文字列を含む通信関連画面を表示させるよう前記駆動部を制御し、当該通信関連画面の表示中に前記パターン制御処理を行う、
ことを特徴とする請求項１に記載の表示装置。
【請求項４】
前記通信関連画面は、前記通信部により送受信するメッセージの表示される画面または前記通信部により発呼要求を行う画面であることを特徴とする請求項３に記載の表示装置。
【請求項５】
前記制御部は、前記表示部にイメージが表示される際には、前記パターン制御処理を行わない
ことを特徴とする請求項１から４のいずれか一に記載の表示装置。
【請求項６】
前記パターンは、切り替え順序が規定され、
前記制御部は、複数の前記パターンを前記切り替え順序に従いサイクリックに切り替えて前記パターン制御処理を行い、前記パターン制御処理を終了すると、次回のパターン制御処理を開始する際には前回のパターン制御処理の終了時に使用していたパターン、もしくは当該使用していたパターンの次の切り替え順序に相当するパターンから前記パターン制御処理を開始する、
ことを特徴とする請求項１から５のいずれか一に記載の表示装置。
【請求項７】
前記制御部は、電源電池の残量を表示するアイコンおよび又は時刻表示を前記表示部に表示可能であって、前記アイコン、前記時刻表示の少なくともいずれかを表示する領域に対して、前記パターン変更制御処理を行う
ことを特徴とする請求項１に記載の表示装置。
【請求項８】
通信網に接続可能な通信部をさらに備え、
前記制御部は、前記通信部による通信の状態を表示するアイコンを表示する領域に対して、前記パターン変更制御処理を行う
ことを特徴とする請求項１に記載の表示装置。
【請求項９】
複数の発光素子を含んで構成されるピクセルが多数配列される表示部を有する表示装置における表示制御方法であって、
前記表示部の発光素子の点灯状態を制御して、当該ピクセル毎の色を変化させて背景および文字を表示する駆動ステップと、
発光素子毎の色情報の組み合わせを文字色と背景色についてそれぞれ対応させたパターンを複数記憶しておくパターン記憶ステップと、
前記表示部に背景と文字とを表示しているとき、所定時間毎に前記パターン記憶ステップに基づいて前記駆動ステップにおける表示パターンを変更するパターン変更ステップと、
を備えることを特徴とする表示装置における表示制御方法。
【発明の詳細な説明】
【技術分野】
【０００１】
本発明は、ディスプレイの不均一な劣化を防止する表示装置及び表示制御方法に関する。
【背景技術】
【０００２】
近年の携帯電話等の端末が備える表示装置には、有機ＥＬディスプレイ（organic electroluminescence display）が使用されている。有機ＥＬディスプレイは、低電力で高い輝度が得ることができ、視認性、応答速度、寿命、消費電力の点で優れており、またカラー化が容易であるという理由から携帯端末等で採用されることが増えている。
【０００３】
ところで、携帯電話の端末においては、電池の残量や電波の受信状態を示すマークの画像を常に表示することが行われている。同一の表示位置に同一の画像の表示を行うと、次第にその部分のみの輝度が劣化してしまい、表示装置上においての不均一な劣化が発生してしまうという問題がある。
【０００４】
このような問題を解決するために、所定時間以上入力が無い時に表示ピクセルごとの表示用情報の全ビットを反転させる処理と輝度の変更処理を行うことができる携帯端末装置や表示装置の表示を反転させるようにした表示装置が知られている（例えば、特許文献１、２参照）。また、表示画面を複数のエリアに分割し、時間情報に応じて分割したエリアのいずれかを選択して、表示エリアを変更するようにした端末装置が知られている（例えば、特許文献３参照）。
【特許文献１】特開２００２−２６８６０１号公報
【特許文献２】特開２００３−１８６４３４号公報
【特許文献３】特開２００３−２２３１６０号公報
【発明の開示】
【発明が解決しようとする課題】
【０００５】
しかしながら、特許文献１、２に記載の表示装置にあっては、表示する画像を反転して表示するようにしたものであるため、変化が大きくユーザが表示を見た時に、違和感を感じてしまうという問題がある。また、特許文献３に記載の端末装置にあっては、表示位置を変化させるものであるため、表示が見づらくなるとともに、表示する位置によっては、他のエリアの使用効率が悪く、他の画像を表示することができないという問題もある。
【０００６】
本発明は、このような事情に鑑みてなされたもので、ユーザに違和感を与えることなく、携帯端末等に用いるディスプレイの不均一な劣化を防止することができる表示装置及び表示制御方法を提供することを目的とする。
【課題を解決するための手段】
【０００７】
本発明は、複数の発光素子を含んで構成されるピクセルが多数配列される表示部と、前記表示部の発光素子の点灯状態を制御して、当該ピクセル毎の色を変化させて背景および文字を表示する駆動部と、発光素子毎の色情報の組み合わせを文字色と背景色についてそれぞれ対応させたパターンを複数記憶するテーブルを記憶する記憶部と、前記表示部にて文字を表示しているとき、所定時間毎に前記パターンを変更して前記駆動部にて表示を行わせるパターン変更処理を行う制御部とを備えたことを特徴とする。
【０００８】
本発明は、操作部をさらに備え、前記制御部は、前記操作部による機能選択を要求されると、前記表示部に少なくとも所定の文字列を含む機能選択画面を表示させるように前記駆動部を制御し、当該機能選択画面の表示中に前記パターン制御処理を行うことを特徴とする。
【０００９】
本発明は、通信網に接続可能な通信部と、操作部とをさらに備え、前記制御部は、前記操作部により前記通信部による通信を要求されると、前記表示部に少なくとも所定の文字列を含む通信関連画面を表示させるよう前記駆動部を制御し、当該通信関連画面の表示中に前記パターン制御処理を行うことを特徴とする。
【００１０】
本発明は、前記通信関連画面は、前記通信部により送受信するメッセージの表示される画面または前記通信部により発呼要求を行う画面であることを特徴とする。
【００１１】
本発明は、前記制御部は、前記表示部にイメージが表示される際には、前記パターン制御処理を行わないことを特徴とする。
【００１２】
本発明は、前記パターンは、切り替え順序が規定され、前記制御部は、複数の前記パターンを前記切り替え順序に従いサイクリックに切り替えて前記パターン制御処理を行い、前記パターン制御処理を終了すると、次回のパターン制御処理を開始する際には前回のパターン制御処理の終了時に使用していたパターン、もしくは当該使用していたパターンの次の切り替え順序に相当するパターンから前記パターン制御処理を開始することを特徴とする。
【００１３】
本発明は、前記制御部は、電源電池の残量を表示するアイコンおよび又は時刻表示を前記表示部に表示可能であって、前記アイコン、前記時刻表示の少なくともいずれかを表示する領域に対して、前記パターン変更制御処理を行うことを特徴とする。
【００１４】
本発明は、通信網に接続可能な通信部をさらに備え、前記制御部は、前記通信部による通信の状態を表示するアイコンを表示する領域に対して、前記パターン変更制御処理を行うことを特徴とする。
【００１５】
本発明は、複数の発光素子を含んで構成されるピクセルが多数配列される表示部を有する表示装置における表示制御方法であって、前記表示部の発光素子の点灯状態を制御して、当該ピクセル毎の色を変化させて背景および文字を表示する駆動ステップと、発光素子毎の色情報の組み合わせを文字色と背景色についてそれぞれ対応させたパターンを複数記憶しておくパターン記憶ステップと、前記表示部に背景と文字とを表示しているとき、所定時間毎に前記パターン記憶ステップに基づいて前記駆動ステップにおける表示パターンを変更するパターン変更ステップとを備えることを特徴とする。
【発明の効果】
【００１６】
本発明によれば、表示装置上の特定の部分のみが劣化すること防止することができる。また、ユーザに違和感を与えることなく、携帯端末等に用いるディスプレイの不均一な劣化を防止することができるという効果が得られる。
【発明を実施するための最良の形態】
【００１７】
以下、本発明の一実施形態による表示装置を図面を参照して説明する。ここでは、携帯電話等の携帯端末に備えた表示装置を例にして説明する。図１は同実施形態の構成を示すブロック図である。この図において、符号１は、携帯端末の処理動作を統括して制御する制御部である。符号２は、ダイヤルキー、ファンクションキー等からなる入力部である。符号３は、電池残量マーク、電波の受信状態マーク及び任意の画像等を表示する表示部であり、有機ＥＬディスプレイで構成され、カラー画像が表示可能である。符号４は、話者の音声を集音するマイクである。符号５は、通話相手の音声を発音するスピーカである。符号６は、図示しない基地局装置との間で無線通信を確立し、電話機能や情報通信を実現する通信部である。符号７は、表示部３に画像等を表示するための表示用ＲＡＭである。符号８は、予め決められた画像（電池残量マーク、電波の受信状態マーク、時刻表示、機能選択画面の画像等）を表示部３上に表示するための表示画像のデータが記憶された表示画像記憶部である。符号９は、携帯端末上で動作するアプリケーションや通信部６を介してダウンロードしたデータ等を記憶するメモリである。符号１０は、一定時間を計測するタイマである。
【００１８】
まず、図１に示す表示部３について説明する。ここでは有機ＥＬディスプレイを例にしてして説明する。表示部３は縦横に配置された多数のピクセルにより構成されている。これらのピクセル一つ一つを発光させ、多数の発光ピクセルの連続により画像を形成している。また、ピクセルとは、赤、緑、青（すなわちＲＧＢ）の発光素子３つの組み合わせにより構成されており、これらの発光素子それぞれの発光度合いのパターンを変更することにより、ピクセル全体として発光色を作っている。光の三原色の法則に従い、黄色や紫色なども作ることができるばかりか、３つの発光素子すべてを強く発光させれば白、全て発光させなければディスプレイの地の色である黒とすることもできる。このようにピクセルごとには、３つの発光素子それぞれに対する発光強度を指示する信号の組み合わせ（パターン）によりピクセルの発光色を指示することができる。そして、このピクセルへのパターン指示を複数のピクセルに対しても行うことにより、表示部３のピクセルごとの色表示を変化させて、文字や記号やアイコンなどの表示物、およびその背景色を表示させることができる。また、これらの発光素子自体が自発光するため、特段バックライトがいらないことが特徴である。
しかしながら、発光素子には寿命がある。技術革新により多少伸びたが、それでも１０００時間程度であり、同じ場所に同じ表示を続けて行うと、同じピクセルの同じ発光素子を酷使し続けることとなってしまい、最もよく使用する発光素子のみが早期に寿命を迎えてしまう可能性が高かった。
【００１９】
次に、図３、４を参照して、図１に示す表示画像記憶部８に記憶されるテーブルについて説明する。初めに、図３を参照して、図１に示す表示画像記憶部８に記憶される配色テーブルのテーブル構造を示す図である。文字色とは、文字、絵文字、図形等を表示する場合に使用する色の配色パターンである。背景色とは、所定の表示エリア内の表示対象の文字や図形部分以外の背景部分に使用する色の配色パターンである。文字色の配色パターンは、ＲＧＢのそれぞれの値が、２５５から０へ変化（ＲＧＢ値のそれぞれを８ビットで表現する場合、全てのビットが反転するような変化）するように定義されている。また、背景色の配色パターンは、ＲＧＢのそれぞれの値が、０から２５５へ変化（ＲＧＢ値のそれぞれを８ビットで表現する場合、全てのビットが反転するような変化）するように定義されている。図３には、文字色、背景色のそれぞれについて、５つの配色パターンがパターン番号と関連付けられて記憶されている例を示したが、５つの配色パターンに限らず、必要に応じて任意の数の配色パターンを記憶しておけばよい。
【００２０】
次に、図４を参照して、図１に示す表示画像記憶部８に記憶されるパターンデータテーブルのテーブル構造を示す図である。パターンデータテーブルは、表示するべき画像データの実体と、文字色、背景色のそれぞれの配色パターン番号の組が、０〜７の識別番号に関連付けられて記憶されているデータである。画像データは、所定の表示エリア内のピクセル毎に文字（図形）であるか背景であるかを判別できるデータであり、文字（図形）部分には「１」が、背景部分には「０」が定義されているピクセルデータの集合である。図４では、電池残量マーク、電波の受信状態マーク及び社名ロゴが画像データとして記憶されている例を示している。例えば、通信部６を介してインターネット中に、表示画像として「京セラ」という文字が取得された際には、次の様に表示制御を行うことになる。制御部１は、取得した「京セラ」を表示するオブジェクト「１」とするとともに、これをインターネットＷｅｂページ上にて規定された表示座標に従って、表示すべき座標を特定し、表示用ＲＡＭ７へ書き込む。また、制御部１は、後述する様に「受信状態マーク」と「電池残量マーク」を取得し、これら「受信状態マーク」および「電池残量マーク」を予め規定しておいた表示座標に対し、表示オブジェクト「１」として表示用ＲＡＭ７に書き込む。これらを表示するときには表示オブジェクトを表示部３に表示させるときに、背景となる座標には背景部分として「０」を表示用ＲＡＭ７に書き込む。また、使用する配色パターンは、配色テーブルに記憶されている配色パターンのうち、色の変化が小さい配色パターンが隣り合うように定義されている。すなわち、識別番号が０〜４は、文字色、背景色ともパターン番号０〜４が定義され、識別番号５、６、７には、文字色、背景色ともパターン番号３、２、１が定義されており、パターン番号の値の差が「１」である配色パターンが隣り合うようになっている。また、識別番号が「０」と「７」においてもパターン番号の値の差が「１」である配色パターンが隣り合うようになっている。
【００２１】
次に、図２を参照して、図１に示す携帯端末の動作を説明する。まず、携帯端末の電源が投入されると、制御部１は、タイマ１０に対してリセット信号を出力する。これを受けて、タイマ１０は、計測時間の値をリセットする。そして、タイマ１０は、予め決められた所定時間（例えば、３分）経過した時点で、タイマ割り込み信号を制御部１に対して出力する（ステップＳ２、Ｓ３）。制御部１は、このタイマ割り込み信号を受けると（予め決められた所定時間経過すると）、メモリ９からパターン選択ポインタの値を読み出し、このパターン選択ポインタの値をインクリメント（「１」加算）して、再びメモリ９へ書き込む（ステップＳ４）。パターン選択ポインタは、０〜７の値を持つポインタであり、「７」の値のときにインクリメントを行うと「０」に戻るものである。
【００２２】
次に、制御部１は、インクリメントした後のパターン選択ポインタと同じ値の識別番号を持つパターンデータを、表示画像記憶部８内のパターンデータテーブルから読み出す（ステップＳ５）。例えば、パターン選択ポインタが「１」であれば、文字色パターン番号「１」、背景色パターン番号「１」と、画像データ実体が読み出されることになる。そして制御部１は、読み出したパターンデータに含まれる文字色パターン番号、背景色パターン番号に対応する配色データ（ＲＧＢ値）を、表示画像記憶部８内の配色テーブルから読み出す。例えば、文字色パターン番号が「１」であれば、（Ｒ，Ｇ，Ｂ）＝（１９２，１９２，１９２）となり、背景色パターン番号が「１」であれば、（Ｒ，Ｇ，Ｂ）＝（６３，６３，６３）となる。ここで、読み出したパターンデータ及び配色データは、制御部１内に保持される。
【００２３】
次に、制御部１は、図示しない電池の電圧から電池残量を求め、表示するべき電池残量マークを決定する。また、制御部１は、通信部６における電波受信状態を検出し、表示するべき電波の受信状態マークを決定する。そして、制御部１は、読み出した画像データと決定した電池残量マーク、電波の受信状態マークに基づいて、表示部３に表示するべき画像のデータを生成し、この画像が所定に位置に表示されるように、予め特定した座標に対する表示オブジェクトとして表示用ＲＡＭ７へ画像データの書き込みを行う（ステップＳ６）。このとき、制御部１は、読み出した配色データに基づいて、表示するべき画像の文字及び背景のＲＧＢ値を指定する。これにより、表示部３には、パターン選択ポインタで特定される配色データを用いて図４に示す画像（電池残量マーク、電波受信状態マーク及び社名ロゴ）が表示されることになる。
【００２４】
次に、制御部１は、再びタイマリセット（ステップＳ１）を行い、ステップＳ２〜Ｓ６の処理を電源が切断されるまで繰り返し実行する。これにより、経過時間毎に配色パターンが切り替わりながら画像の表示が行われることになる。ただし、新たなパターンデータを読み出す前に（所定時間が経過する前に）電池残量の状態、受信状態が変化した場合には、内部保持してあるパターンデータ及び配色データを用いて電池残量マーク、電波受信状態マークの更新を行う。
【００２５】
このように、表示部３上の同一の位置に予め決められた画像を表示する場合に、所定時間経過毎に画像の配色パターンを変化させて、各ピクセルの輝度を所定時間毎に変化させるようにしたため、特定のピクセルのみが劣化してしまうことを防止することができ、表示部３上の同一の位置に同一の画像を表示し続ける場合に比べて、各ピクセルの寿命を延ばすことができる。また、配色パターンを変化させる場合に、配色の変化が小さくなるように、変化させるようにしたため、ユーザに対して違和感を与えることなく表示画像の配色パターンを変化させることができる。また、パターンデータを選択するためのパターン選択ポインタを不揮発性メモリに保持しておき、携帯端末の電源を一度切ってから再度投入した場合に、保持しておいたパターン選択ポインタに基づいてパターンデータ選択を行うようにしたため、各パターンデータの使用頻度を均等にすることが可能である。これにより、電源を投入する度に、使用するパターンデータを予め決めておく（例えば、識別番号「０」のパターンデータ）と、結果的に予め決めておいたパターンデータの使用頻度が高くなり、各パターンデータの使用頻度が均等にならないという問題を解決することができる。また、識別番号４のパターンで表示を行っている状態にて入力部２の操作が入ったときにも、突然電池残量マークの色が文字色パターン４からパターン０に変わり、見た目の表示色が大きく変わってしまうことを防止でき、入力部２の操作が生じてもパターンが大きく変動してしまわないように制御することにより、見た目の変化量を抑えることができる。
【００２６】
なお、使用するパターンデータの切り替えは、所定時間経過した場合に加え、所定の操作を行った時点で行うようにしてもよい。例えば、アプリケーションを使用して、表示部３の全面にダウンロードした写真や動画等の画像を表示する場合などのように、電池残量マークや電波受信状態マークの表示が一旦消去され、アプリケーション終了後に再び電池残量マークや電波受信状態マークの表示が行われるような場合には、ユーザに違和感を与えることなく表示画像のパターンデータを変更することができる。
【００２７】
また、入力部２を操作して、機能選択の要求を行った場合、表示部３に少なくとも所定の文字列を含む機能選択画面を表示され、この機能選択画面の表示中にパターン制御処理を行うようにしてもよい。また、入力部２を操作して通信部６による通信を要求を行った場合、表示部３に少なくとも所定の文字列を含む通信関連画面を表示され、この通信関連画面の表示中にパターン制御処理を行う行うようにしてもよい。例えば、発呼要求の場合は、電話番号を入力するためのウィンドウを表示させたり、Ｅメール作成の場合には、入力部２による文字入力を受け付けるためのウィンドウを表示させることになる。このような通信関連画面や機能設定を行うための機能メニュー画面は、表示用ＲＡＭ７上では表示オブジェクトとして扱われ、その表示座標は基本的に不動である。それゆえ、本発明に示したパターン制御処理を行うことにより、ウィンドウのような通信関連画面や機能メニュー画面においても、表示部３上の一部のピクセルの中の一部の発光素子が酷使されるということを防止することができる。また、写真や動画等の画像を表示する場合などのように、表示しようとする画像の各ピクセルの色に意味を有している画像を表示するような場合には、パターン変更制御処理は行わないようにする。
【００２８】
なお、本発明の携帯端末は、移動通信を使用した携帯電話機や移動通信機能を有した携帯情報端末（ＰＤＡ）、モバイル端末、カーナビ装置などを含むものである。
なお、ＲＧＢそれぞれの色の信号値を同じ値とし、これらを一斉に順次切り替えるようなパターン制御を例にして説明したが、これは一例に過ぎず、ＲＧＢそれぞれ独立した信号値の変更を行うようにしてもよい。
【００２９】
なお、図１における処理部の機能を実現するためのプログラムをコンピュータ読み取り可能な記録媒体に記録して、この記録媒体に記録されたプログラムをコンピュータシステムに読み込ませ、実行することにより画像表示制御処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３０】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３１】
【図１】本発明の一実施形態の構成を示すブロック図である。
【図２】図１に示す装置の動作を示すフローチャートである。
【図３】図１に示す表示画像記憶部８に記憶される配色テーブルのテーブル構造を示す説明図である。
【図４】図１に示す表示画像記憶部８に記憶されるパターンデータテーブルのテーブル構造を示す説明図である。
【符号の説明】
【００３２】
１・・・制御部、２・・・入力部、３・・・表示部、４・・・マイク、５・・・スピーカ、６・・・通信部、７・・・表示用ＲＡＭ、８・・・表示画像記憶部、９・・・メモリ、１０・・・タイマ
【図１】
2007034075.tif 000003
【図２】
2007034075.tif 000004
【図３】
2007034075.tif 000005
【図４】
2007034075.tif 000006